(57)【要約】【課題】構成を簡素化し小型で安価、水または希釈消臭液を素早く放散させる消臭機を提供すること。【解決手段】本体内１に、送風装置１１と、水または希釈消臭液２３を入れた水タンク６と、この水タンク６から供給される水または希釈消臭液２３を貯める水受け槽１９と、水用フィルター２０を内設したフィルターケース２１を備え、前記フィルターケース２１を回転自由に軸支して下方を水受け槽１９の水または希釈消臭液２３に浸し、前記フィルターケース２１を回転させ、吸引した空気を、前記水用フィルター２０を通過させることで、水または希釈消臭液２３の気化による湿潤空気を、排出口３から排出させるようにしたもので、構成を簡素化し小型で安価、水または希釈消臭液を素早く放散させる消臭機を提供することができる。【選択図】　図２
2004024458.tif 000002
【特許請求の範囲】
【請求項１】
吸気口と排出口を有した本体内に、ファンと駆動モータで構成する送風装置と、水または希釈消臭液を入れた水タンクと、この水タンクから供給される水または希釈消臭液を貯める水受け槽と、水用フィルターを内設したフィルターケースを備え、前記フィルターケースを回転自由に軸支して下方を水受け槽の水または希釈消臭液に浸し、駆動装置により前記フィルターケースを回転させ、前記吸気口から吸引した空気を、前記水用フィルターを通過させることで、水または希釈消臭液の気化による湿潤空気を、前記排出口から排出させるようにした消臭機。
【請求項２】
吸気口側に、集塵フィルターおよび／または脱臭フィルターを有して成る請求項１記載の消臭機。
【請求項３】
集塵フィルターは、抗菌、抗ウイルス、抗カビ処理のうち少なくとも１つ以上が処理されたものである請求項２記載の消臭機。
【請求項４】
送風装置は、駆動モータに固定した遠心ファンから成り、本体後方に取り付けられ隔壁部材とで形成する渦室内に収設され、前記隔壁部材下方の吐出連通口を介して、回転するフィルターケース内の水用フィルターに送風して成る請求項１乃至３のいずれか１項に記載の消臭機。
【請求項５】
水用フィルターは、不織布、紙またはこれらの混合材から成り、これらを積層して平板状に形成し、着脱自在に係合させたフィルターケース内に収設配置して成る請求項１乃至４のいずれか１項に記載の消臭機。
【請求項６】
水用フィルターには、抗菌、抗ウイルス、抗カビ処理のうち少なくとも１つ以上が処理されたものである請求項５記載の消臭機。
【請求項７】
本体を構成するカバー体を、透明または半透明部材で形成し、フィルターケースの回転状態を目視できるようにして成る請求項１乃至６のいずれか１項に記載の消臭機。
【請求項８】
本体内にイルミネーションランプを配設し、フィルターケースの回転状態を目視できるようにして成る請求項７記載の消臭機。
【請求項９】
水タンクの水を定量貯水する貯水部に排水管を設け、前記水受け槽にフロート弁を回動自由に軸支して排水管出口に対峙させ、前記水受け槽の水量が減ると排水管から補給し、所定量になると排水管を封鎖させ自動給水させるようにして成る請求項１乃至８のいずれか１項に記載の消臭機。
【請求項１０】
水受け槽および貯水部を一体に樹脂成形し、抗菌材を練りこむかまたは表面に抗菌材を塗布して成る請求項１乃至９のいずれか１項に記載の消臭機。
【請求項１１】
フィルターケースと駆動装置との連結手段をクラッチとし、水受け槽および貯水部を、本体に着脱自在に構成して成る請求項１乃至１０のいずれか１項に記載の消臭機。
【請求項１２】
駆動装置を、減速機内蔵小型モータで構成して成る請求項１乃至１１のいずれか１項に記載の消臭機。
【請求項１３】
減速機内蔵小型モータは、駆動開始初期に運転時間を長く設定し、以降は停止および初期運転時間より短い運転の間欠運転を行わせるようにして成る請求項１２記載の消臭機。
【請求項１４】
駆動装置を、送風装置の駆動モータとベルトおよび歯車減速装置とで構成して成る請求項１乃至１１のいずれか１項に記載の消臭機。
【発明の詳細な説明】
【０００１】
【発明の属する技術分野】
本発明は、特に強い臭気の発生しやすい家庭、病室などに有効で室内の強い臭気を中和消臭するとともにさわやかな環境を創出する消臭機に関するものである。
【０００２】
【従来の技術】
従来この種の消臭機は、登録特許第２７５９３１４号や特開平８−２８９１５などが開示されている。
【０００３】
【発明が解決しようとする課題】
しかしながら、前記従来の構成のものは消臭液の供給ポンプ装置や制御装置を必要として機器の大型化やコスト高を招いたり、消臭エレメントに消臭液がまんべんなく拡散湿潤するのに時間がかかり運転後消臭液が放散するのが遅くなる等の課題があった。
【０００４】
本発明は、以上のような従来の課題を解決するもので構成を簡素化し小型で安価、水または希釈消臭液を素早く放散させ、さらに衛生的に使用できる消臭機を提供することなどを目的としている。
【０００５】
【課題を解決するための手段】
前記従来の課題を解決するために本発明の消臭機は、吸気口と排出口を有した本体内に、ファンと駆動モータで構成する送風装置と、水または希釈消臭液を入れた水タンクと、この水タンクから供給される水または希釈消臭液を貯める水受け槽と、水用フィルターを内設したフィルターケースを備え、前記フィルターケースを回転自由に軸支して下方を水受け槽の水または希釈消臭液に浸し、駆動装置により前記フィルターケースを回転させ、前記吸気口から吸引した空気を、前記水用フィルターを通過させることで、水または希釈消臭液の気化による湿潤空気を、前記排出口から排出させるようにしたもので、構成を簡素化し小型で安価、水または消臭液を素早く放散させる消臭機を提供することができる。
【０００６】
【発明の実施の形態】
本発明の請求項１記載の発明は、吸気口と排出口を有した本体内に、ファンと駆動モータで構成する送風装置と、水または希釈消臭液を入れた水タンクと、この水タンクから供給される水または希釈消臭液を貯める水受け槽と、水用フィルターを内設したフィルターケースを備え、前記フィルターケースを回転自由に軸支して下方を水受け槽の水または希釈消臭液に浸し、駆動装置により前記フィルターケースを回転させ、前記吸気口から吸引した空気を、前記水用フィルターを通過させることで、水または希釈消臭液の気化による湿潤空気を、前記排出口から排出させるようにしたもので、構成を簡素化し小型で安価、水または希釈消臭液を素早く放散させる消臭機にすることができる。
【０００７】
本発明の請求項２記載の発明は、吸気口側に、集塵フィルターおよび／または脱臭フィルターを有して成るもので、室内の汚れた吸入空気を清浄化し後方に配置した送風装置および水用フィルターへの塵埃の集積を防止することができる。
【０００８】
本発明の請求項３記載の発明は、集塵フィルターは、抗菌、抗ウイルス、抗カビ処理のうち少なくとも１つ以上が処理されたものであるので、吸入空気に含まれる菌やカビの繁殖を抑制し、またウイルスを不活化させて水用フィルターを汚染させることがなく衛生的に使用できる。
【０００９】
本発明の請求項４記載の発明は、送風装置は、駆動モータに固定した遠心ファンから成り、本体後方に取り付けられ隔壁部材とで形成する渦室内に収設され、前記隔壁部材下方の吐出連通口を介して、回転するフィルターケース内の水用フィルターに送風して成るもので、駆動モータは水用フィルターの上流側配置のため水または希釈消臭液の気化による湿潤空気による腐蝕、劣化などの特別な配慮が不用となり安価にできる。また、圧力タイプの遠心ファンを使用することにより各フィルターや構造圧力損失に対応して高風量を得やすくできる。
【００１０】
本発明の請求項５記載の発明は、水用フィルターは、不織布、紙またはこれらの混合材から成り、これらを積層して平板状に形成し、着脱自在に係合させたフィルターケース内に収設配置して成るもので、水用フィルターやフィルターケースの交換および清掃メンテナンスしやすいものとなる。
【００１１】
本発明の請求項６記載の発明は、水用フィルターには、抗菌、抗ウイルス、抗カビ処理のうち少なくとも１つ以上が処理されたものであるもので、水用フィルターを汚染させることがなく衛生的に使用できる。
【００１２】
本発明の請求項７記載の発明は、本体を構成するカバー体を、透明または半透明部材で形成し、フィルターケースの回転状態を目視できるようにして成るもので、動作が見え視覚的興味や水または希釈消臭液の有無を確認できるものとなる。
【００１３】
本発明の請求項８記載の発明は、本体内にイルミネーションランプを配設し、フィルターケースの回転状態を目視できるようにしたので、動作が見え一層視覚的興味やリラックス感を演出でき、また水または希釈消臭液の有無を確認できるものとなる。
【００１４】
本発明の請求項９記載の発明は、水タンクの水を定量貯水する貯水部に排水管を設け、前記水受け槽にフロート弁を回動自由に軸支して排水管出口に対峙させ、前記水受け槽の水量が減ると排水管から補給し、所定量になると排水管出口を封鎖させ自動給水させるようにしたので、ポンプなどの消臭液の供給装置が不用で本体も小型化でき安価なものとなる。
【００１５】
本発明の請求項１０記載の発明は、水受け槽および貯水部を一体に樹脂成形し、抗菌材を練りこむかまたは表面に抗菌材を塗布するようにしたので、放置された場合水または希釈消臭液から菌の発生を抑制し衛生的に使用できる。
【００１６】
本発明の請求項１１記載の発明は、フィルターケースと駆動装置との連結手段をクラッチとし、水受け槽および貯水部を本体に着脱自在に構成したので、水用フィルターやフィルターケースの交換および清掃メンテナンスしやすいものとなる。
【００１７】
本発明の請求項１２記載の発明は、駆動装置を減速機内蔵小型モータとしたので、構成を簡素化でき小型で安価な消臭機にすることができる。
【００１８】
本発明の請求項１３記載の発明は、減速機内蔵小型モータは、駆動開始初期に運転時間を長く設定し、以降は停止および初期運転時間より短い運転の間欠運転を行わせるようにしたので、水または希釈消臭液の気化による湿潤空気の必要量を確保して小型モータの寿命を延長でき、また省電力化もできる。
【００１９】
本発明の請求項１４記載の発明は、駆動装置を送風装置の駆動モータとベルトおよび歯車減速装置とで構成したため、別個のフィルターケース駆動用モータを必要とせず安価なものとなる。
【００２０】
【実施例】
以下、本発明の実施例について図面を参照して説明する。
【００２１】
（実施例１）
図１は本発明の消臭機の外観図、図２は本発明の第１の実施例の消臭機の側断面図、図３は水タンクとフィルターケースを配置した水受け槽の断面図である。
【００２２】
図１乃至２において、本体１の後面に吸気口２と上面に排出口３を有し、この吸気口２は通気開口を有して本体１に着脱可能に装着され、排出口３は格子状の開口を有している。本体１の上面には排出口３の上に開閉可能で任意の開き度合いに設定できる可動蓋４、スイッチパネル５、下方の水タンク６を上方から着脱できるようにして覆う開閉または着脱可能な蓋体７が配置されている。可動蓋４は排出口３から排出され、水または希釈消臭液が気化された湿潤空気の排出方向を強い臭気のする方向に設定できまた、運転停止中は閉鎖して室内の浮遊粉塵やこれらに付着する雑菌類などの進入を阻止でき効果的である。８は着脱できるように本体１の前方に配置したカバー体で、半透明や透明樹脂成形品を使用し内部が見える様にしている。本体１の内部にはファン９を取り付けた駆動モータ１０が固定され送風装置１１を成す。この送風装置１１は隔壁部材１２と本体１とで形成される渦室１３内に収設される。１４は集塵フィルター、１５は脱臭フィルターで吸気口２の内方に配置されている。この集塵フィルター１４は浮遊塵埃などを捕集するプレフィルターや不織布をプリーツ折り加工して形成された集塵フィルターなどから構成している。また、この集塵フィルターには抗菌、抗ウイルス、抗カビ処理または、少なくともこれらの１つ以上が処理されている。脱臭フィルター１５は活性炭などから構成する。前記ファン９は圧力タイプの遠心ファンから成り上流側の集塵フィルター１４や脱臭フィルター１５や構造圧力損失に対応して高風量を得やすいものとしている。渦室１３からの送風は隔壁部材１２下方の吐出連通口１６を介して隔壁部材１２から立設形成したリブ１７で内包した空間１８に導かれる。１９は水受け槽で、水用フィルター２０を内設したフィルターケース２１の軸２２を回転自由に軸支し下方を水受け槽１９の水または希釈消臭液２３に浸し、連結手段２４を成すクラッチ２５とこのクラッチ２５と係合するクラッチ２６を有する駆動装置２７によりフィルターケース２１を回転させる。クラッチによる連結手段２４によって水受け槽１９は本体１に着脱自在にしている。また、駆動装置２７は減速機内蔵小型同期モータで構成するのが回転動力からみて好適である。前記水用フィルター２０は不織布、紙またはこれらの混合材で吸水性に優れた素材から成り短冊状などの通気性良好な開口を有し、これらを積層して平板状に形成している。また、水用フィルター２０には抗菌、抗ウイルス、抗カビ処理または、少なくともこれらの１つ以上が処理されている。フィルターケース２１は同一樹脂成形品を互いに着脱自在にツメ２８で係合させている。スイッチパネル５下方には駆動制御回路部２９が収設されるとともにイルミネーションランプ３０を配設している。
【００２３】
図３において、水タンク６の水を定量貯水する貯水部３１に排水管３２を設け、水受け槽１９にフロート弁３３を軸３４で回動自由に軸支して排水管出口３５に対峙させ、水受け槽１９の水または希釈消臭液２３が減ると排水管３２から補給し、所定量になると排水管３２を封鎖し自動給水させるようにしている。前記水タンク６の蓋体３６は公知のように図示しないバネで付勢された弁体が設けられており水タンク６を水受け槽１９に載置すると突起３７に押されて弁体が開き貯水部３１に定量貯水する。この貯水部３１が減水すると自動的に定量になるまでタンク６から補給する。水受け槽１９および貯水部３１は一体樹脂成形し、抗菌材を練りこむかまたは表面に抗菌材を塗布している。水タンク６には水または天然の植物抽出液（フィトンチド）を希釈した希釈消臭液２３を入れている。この天然の植物抽出液（フィトンチド）は杉やヒノキなどから抽出され、悪臭成分と反応して中和消臭やすがすがしい香りで快適感をあたえるものとして知られている。この希釈消臭液２３は水タンク６の満水設定量に対して設定される希釈度合いに応じた量を分封した植物抽出液（フィトンチド）原液を使用すると所定の希釈消臭液が容易につくれる。
【００２４】
図４は本発明の他の実施例の消臭機の側断面図、図５は減速機内蔵小型モータの駆動説明図である。駆動装置２７は、送風装置１１の駆動モータ１０を長軸にした駆動モータ３８と、ベルト３９および歯車減速装置４０から構成されている。
【００２５】
このような構成において送風装置１１を駆動すると、集塵フィルター１４や脱臭フィルター１５で浄化された吸入空気が渦室１３から隔壁部材１２下方の吐出連通口１６を介して隔壁部材１２から立設形成したリブ１７で内包した空間１８に導かれ、フィルターケース２１に内設した水用フィルター２０を通過して排出口３から、水または希釈消臭液による湿潤空気として排出され、室内の強い臭気を消臭または中和消臭するとともにさわやかな環境を創出する。フィルターケース２１は、毎分数回転の速さで回転させることにより、内設した水用フィルター２０が、下方の水または希釈消臭液を汲み上げ、中心部へ毛細管現象も加えて吸収させるので、素早くフィルター２０が水または希釈消臭液で濡れるため、水または希釈消臭液を素早く放散できる。
【００２６】
図５において、減速機内蔵小型モータ２７は駆動制御回路部２９によって駆動開始初期に運転時間Ｄ１を長く設定し以降は停止Ｓおよび初期運転時間より短い運転Ｄ２の間欠運転を行わせ小型モータ２７の寿命を延長、また省電力化もできるようにしている。
【００２７】
以上述べたように本実施例によれば下記に示す効果が得られる。
【００２８】
本実施例では、吸気口２と排出口３を有した本体１内にファン９と駆動モータ１０で構成する送風装置１１、水または希釈消臭液を入れた水タンク６、この水タンク６から供給される水または希釈消臭液２３を貯める水受け槽１９、この水受け槽１９に水用フィルター２０を内設したフィルターケース２１を回転自由に軸支し下方を水受け槽１９の水または希釈消臭液２３に浸し、連結手段２４を介した駆動装置２７によりフィルターケース２１を回転させ、吸気空気は水用フィルター２０を通過させ水または希釈消臭液２３の気化による湿潤空気として排出口３から排出させるようにしたので、構成を簡素化し小型で安価、水または希釈消臭液を素早く放散させる消臭機にすることができる。
【００２９】
また、吸気口２側に集塵フィルター１４と脱臭フィルター１５または、少なくとも集塵フィルター１４を有するものとしたので、室内の汚れた吸入空気を清浄化し後方に配置した送風装置１１および水フィルター２０への塵埃の集積を防止することができる。
【００３０】
また、前記集塵フィルター１４に抗菌、抗ウイルス、抗カビ処理または、少なくともこれらの１つ以上が処理されたものとしたので、吸入空気に含まれる菌やカビの繁殖を抑制し、またウイルスを不活化させて水フィルター２０を汚染させることがなく衛生的に使用できる。
【００３１】
また、前記送風装置１１が駆動モータ１０に固定した遠心ファン９から成り、本体１後に取り付けられ隔壁部材１２とで形成する渦室１３内に収設し、隔壁部材１２下方の吐出連通口１６を介して回転するフィルターケース２１を内包した空間１８から水用フィルター２０に送風するようにしたので、駆動モータ１０は水用フィルター２０の上流側配置に配置したため水または希釈消臭液２３の気化による湿潤空気による腐蝕、劣化などの特別な配慮が不用となり安価にできる。また、圧力タイプの遠心ファン９を使用することにより各フィルターや構造圧力損失に対応して高風量を得やすくできる。
【００３２】
また、前記水用フィルター２０を不織布、紙またはこれらの混合材で吸水性に優れた素材から成し短冊状などの通気性良好な開口を有し、これらを積層して平板状に形成し、同一樹脂成形品を互いに着脱自在に係合させたフィルターケース２１内に収設配置したので、フィルターケース２１が安価にでき、また水用フィルター２０やフィルターケース２１の交換および清掃メンテナンスしやすいものとなる。
【００３３】
また、前記水用フィルター２０には抗菌、抗ウイルス、抗カビ処理または、少なくともこれらの１つ以上が処理されたものとしたので、水用フィルター２０を汚染させることがなく衛生的に使用できる。
【００３４】
また、前記本体１を構成するカバー体８を透明部材で形成し、フィルターケース２１の回転状態を目視できるようにしたので、動作が見え視覚的興味や水または希釈消臭液２３の有無を確認できるものとなる。
【００３５】
また、前記本体１内にイルミネーションランプ３０を配設し、フィルターケース２１の回転状態を目視できるようにしたので、動作が見え一層視覚的興味やリラックス感を演出でき、また水または希釈消臭液２３の有無を確認できるものとなる。
【００３６】
また、前記水タンク６の水を定量貯水する貯水部３１に排水管３２を設け、前記水受け槽１９にフロート弁３３を回動自由に軸支して排水管出口３５に対峙させ、水受け槽１９の水量が減ると排水管３２から補給し、所定量になると排水管出口３５を封鎖させ自動給水させるようにしたので、ポンプなどによる供給装置が不用で本体も小型化でき安価なものとなる。
【００３７】
また、前記水受け槽１９および貯水部３１を一体に樹脂成形し、抗菌材を練りこむかまたは表面に抗菌材を塗布するようにしたので、放置された場合水または希釈消臭液から菌の発生を抑制し衛生的に使用できる。
【００３８】
また、前記フィルターケース２１と駆動装置２７との連結手段２４をクラッチ２５、２６とし水受け槽１９および貯水部３１を本体１に着脱自在に構成したので、水フィルター２０やフィルターケース２１の交換および清掃メンテナンスしやすいものとなる。
【００３９】
また、前記駆動装置２７を減速機内蔵小型モータ２７としたので、構成を簡素化でき小型で安価な消臭機にすることができる。
【００４０】
また、前記減速機内蔵小型モータ２７は、駆動開始初期に運転時間を長く設定し、以降は停止および初期運転時間より短い運転の間欠運転を行わせるようにしたので、水または希釈消臭液２３の気化による湿潤空気の必要量を確保して小型モータ２７の寿命を延長でき、また省電力化もできる。
【００４１】
また、前記駆動装置２７を送風装置１１の駆動モータ３８とベルト３９および歯車減速装置４０とで構成することで、別個のフィルターケース駆動用モータ２７を必要とせず安価なものとなる。
【００４２】
【発明の効果】
以上述べたように本発明によれば、構成を簡素化し小型で安価、水または希釈消臭液を素早く放散させ、また衛生的に使用できる消臭機を提供することができる。
【図面の簡単な説明】
【図１】本発明の一実施例の消臭機の外観図
【図２】同消臭機の側断面図
【図３】同水タンクとフィルターケースを配置した水受け槽の断面図
【図４】同消臭機の他の側断面図
【図５】同減速機内蔵小型モータの駆動説明図
【符号の説明】
１　本体
２　吸気口
３　排出口
６　水タンク
８　カバー体
９　ファン
１０、３８　駆動モータ
１１　送風装置
１４　集塵フィルター
１５　脱臭フィルター
１９　水受け槽
２０　水用フィルター
２１　フィルターケース
２３　水または希釈消臭液
２４　連結手段
２５、２６　クラッチ
２７　駆動装置
３０　イルミネーションランプ
３１　貯水部
３２　排水管
３３　フロート弁
３９　ベルト
４０　歯車減速装置
【図１】
2004024458.tif 000003
【図２】
2004024458.tif 000004
【図３】
2004024458.tif 000005
【図４】
2004024458.tif 000006
【図５】
2004024458.tif 000007